【手続補正書】
【提出日】平成27年8月6日(2015.8.6)
【手続補正１】
【補正対象書類名】明細書
【補正対象項目名】発明の名称
【補正方法】変更
【補正の内容】
【発明の名称】半導体装置及び表示装置
【手続補正２】
【補正対象書類名】特許請求の範囲
【補正対象項目名】全文
【補正方法】変更
【補正の内容】
【特許請求の範囲】
【請求項１】
第１のトランジスタと、
第２のトランジスタと、
第３のトランジスタと、
第４のトランジスタと、を有し、
前記第１のトランジスタのソース又はドレインの一方は第１の配線に電気的に接続されており、
前記第１のトランジスタのソース又はドレインの他方は前記第２のトランジスタのソース又はドレインの一方に電気的に接続されており、
前記第１のトランジスタのソース又はドレインの他方は第２の配線に電気的に接続されており、
前記第２のトランジスタのソース又はドレインの他方は第３の配線に電気的に接続されており、
前記第３のトランジスタのソース又はドレインの一方は第４の配線に電気的に接続されており、
前記第３のトランジスタのソース又はドレインの他方は前記第４のトランジスタのソース又はドレインの一方に電気的に接続されており、
前記第３のトランジスタのソース又はドレインの他方は第５の配線に電気的に接続されており、
前記第４のトランジスタのソース又はドレインの他方は前記第３の配線に電気的に接続されており、
前記第１のトランジスタのゲートは前記第３のトランジスタのゲートに電気的に接続されており、
前記第２のトランジスタのゲートは前記第４のトランジスタのゲートに電気的に接続されており、
前記第３の配線は、クロック信号を入力することができる機能を有し、
前記第２の配線は、第１の信号を出力することができる機能を有し、
前記第５の配線は、第２の信号を出力することができる機能を有する半導体装置。
【請求項２】
第１のトランジスタと、
第２のトランジスタと、
第３のトランジスタと、
第４のトランジスタと、を有し、
前記第１のトランジスタのソース又はドレインの一方は第１の配線に電気的に接続されており、
前記第１のトランジスタのソース又はドレインの他方は前記第２のトランジスタのソース又はドレインの一方に電気的に接続されており、
前記第１のトランジスタのソース又はドレインの他方は第２の配線に電気的に接続されており、
前記第２のトランジスタのソース又はドレインの他方は第３の配線に電気的に接続されており、
前記第３のトランジスタのソース又はドレインの一方は第４の配線に電気的に接続されており、
前記第３のトランジスタのソース又はドレインの他方は前記第４のトランジスタのソース又はドレインの一方に電気的に接続されており、
前記第３のトランジスタのソース又はドレインの他方は第５の配線に電気的に接続されており、
前記第４のトランジスタのソース又はドレインの他方は前記第３の配線に電気的に接続されており、
前記第１のトランジスタのゲートは前記第３のトランジスタのゲートに電気的に接続されており、
前記第２のトランジスタのゲートは前記第４のトランジスタのゲートに電気的に接続されており、
前記第３の配線は、クロック信号を入力することができる機能を有し、
前記第２の配線は、第１の信号を出力することができる機能を有し、
前記第５の配線は、第２の信号を出力することができる機能を有し、
前記第１のトランジスタのチャネル幅は、前記第３のトランジスタのチャネル幅よりも大きい半導体装置。
【請求項３】
第１のトランジスタと、
第２のトランジスタと、
第３のトランジスタと、
第４のトランジスタと、
第５のトランジスタと、
第６のトランジスタと、を有し、
前記第１のトランジスタのソース又はドレインの一方は第１の配線に電気的に接続されており、
前記第１のトランジスタのソース又はドレインの他方は前記第２のトランジスタのソース又はドレインの一方に電気的に接続されており、
前記第１のトランジスタのソース又はドレインの他方は第２の配線に電気的に接続されており、
前記第２のトランジスタのソース又はドレインの他方は第３の配線に電気的に接続されており、
前記第３のトランジスタのソース又はドレインの一方は第４の配線に電気的に接続されており、
前記第３のトランジスタのソース又はドレインの他方は前記第４のトランジスタのソース又はドレインの一方に電気的に接続されており、
前記第３のトランジスタのソース又はドレインの他方は第５の配線に電気的に接続されており、
前記第４のトランジスタのソース又はドレインの他方は前記第３の配線に電気的に接続されており、
前記第５のトランジスタのソース又はドレインの一方は前記第４の配線に電気的に接続されており、
前記第５のトランジスタのソース又はドレインの他方は前記第６のトランジスタのソース又はドレインの一方に電気的に接続されており、
前記第６のトランジスタのソース又はドレインの他方は第６の配線に電気的に接続されており、
前記第１のトランジスタのゲートは前記第３のトランジスタのゲートに電気的に接続されており、
前記第１のトランジスタのゲートは前記第５のトランジスタのゲートに電気的に接続されており、
前記第２のトランジスタのゲートは前記第４のトランジスタのゲートに電気的に接続されており、
前記第５のトランジスタのソース又はドレインの他方は前記第４のトランジスタのゲートに電気的に接続されており、
前記第３の配線は、クロック信号を入力することができる機能を有し、
前記第２の配線は、第１の信号を出力することができる機能を有し、
前記第５の配線は、第２の信号を出力することができる機能を有する半導体装置。
【請求項４】
第１のトランジスタと、
第２のトランジスタと、
第３のトランジスタと、
第４のトランジスタと、
第５のトランジスタと、
第６のトランジスタと、を有し、
前記第１のトランジスタのソース又はドレインの一方は第１の配線に電気的に接続されており、
前記第１のトランジスタのソース又はドレインの他方は前記第２のトランジスタのソース又はドレインの一方に電気的に接続されており、
前記第１のトランジスタのソース又はドレインの他方は第２の配線に電気的に接続されており、
前記第２のトランジスタのソース又はドレインの他方は第３の配線に電気的に接続されており、
前記第３のトランジスタのソース又はドレインの一方は第４の配線に電気的に接続されており、
前記第３のトランジスタのソース又はドレインの他方は前記第４のトランジスタのソース又はドレインの一方に電気的に接続されており、
前記第３のトランジスタのソース又はドレインの他方は第５の配線に電気的に接続されており、
前記第４のトランジスタのソース又はドレインの他方は前記第３の配線に電気的に接続されており、
前記第５のトランジスタのソース又はドレインの一方は前記第４の配線に電気的に接続されており、
前記第５のトランジスタのソース又はドレインの他方は前記第６のトランジスタのソース又はドレインの一方に電気的に接続されており、
前記第６のトランジスタのソース又はドレインの他方は第６の配線に電気的に接続されており、
前記第１のトランジスタのゲートは前記第３のトランジスタのゲートに電気的に接続されており、
前記第１のトランジスタのゲートは前記第５のトランジスタのゲートに電気的に接続されており、
前記第２のトランジスタのゲートは前記第４のトランジスタのゲートに電気的に接続されており、
前記第５のトランジスタのソース又はドレインの他方は前記第４のトランジスタのゲートに電気的に接続されており、
前記第３の配線は、クロック信号を入力することができる機能を有し、
前記第２の配線は、第１の信号を出力することができる機能を有し、
前記第５の配線は、第２の信号を出力することができる機能を有し、
前記第１のトランジスタのチャネル幅は、前記第３のトランジスタのチャネル幅よりも大きい半導体装置。
【請求項５】
走査線駆動回路と、画素と、を有し、
前記走査線駆動回路は、
第１のトランジスタと、
第２のトランジスタと、
第３のトランジスタと、
第４のトランジスタと、を有し、
前記第１のトランジスタのソース又はドレインの一方は第１の配線に電気的に接続されており、
前記第１のトランジスタのソース又はドレインの他方は前記第２のトランジスタのソース又はドレインの一方に電気的に接続されており、
前記第１のトランジスタのソース又はドレインの他方は第２の配線に電気的に接続されており、
前記第２のトランジスタのソース又はドレインの他方は第３の配線に電気的に接続されており、
前記第３のトランジスタのソース又はドレインの一方は第４の配線に電気的に接続されており、
前記第３のトランジスタのソース又はドレインの他方は前記第４のトランジスタのソース又はドレインの一方に電気的に接続されており、
前記第３のトランジスタのソース又はドレインの他方は第５の配線に電気的に接続されており、
前記第４のトランジスタのソース又はドレインの他方は前記第３の配線に電気的に接続されており、
前記第１のトランジスタのゲートは前記第３のトランジスタのゲートに電気的に接続されており、
前記第２のトランジスタのゲートは前記第４のトランジスタのゲートに電気的に接続されており、
前記第３の配線は、クロック信号を入力することができる機能を有し、
前記第２の配線は、第１の信号を出力することができる機能を有し、
前記第５の配線は、第２の信号を出力することができる機能を有し、
前記画素は、前記第２の配線に電気的に接続される表示装置。
【請求項６】
走査線駆動回路と、画素と、を有し、
前記走査線駆動回路は、
第１のトランジスタと、
第２のトランジスタと、
第３のトランジスタと、
第４のトランジスタと、を有し、
前記第１のトランジスタのソース又はドレインの一方は第１の配線に電気的に接続されており、
前記第１のトランジスタのソース又はドレインの他方は前記第２のトランジスタのソース又はドレインの一方に電気的に接続されており、
前記第１のトランジスタのソース又はドレインの他方は第２の配線に電気的に接続されており、
前記第２のトランジスタのソース又はドレインの他方は第３の配線に電気的に接続されており、
前記第３のトランジスタのソース又はドレインの一方は第４の配線に電気的に接続されており、
前記第３のトランジスタのソース又はドレインの他方は前記第４のトランジスタのソース又はドレインの一方に電気的に接続されており、
前記第３のトランジスタのソース又はドレインの他方は第５の配線に電気的に接続されており、
前記第４のトランジスタのソース又はドレインの他方は前記第３の配線に電気的に接続されており、
前記第１のトランジスタのゲートは前記第３のトランジスタのゲートに電気的に接続されており、
前記第２のトランジスタのゲートは前記第４のトランジスタのゲートに電気的に接続されており、
前記第３の配線は、クロック信号を入力することができる機能を有し、
前記第２の配線は、第１の信号を出力することができる機能を有し、
前記第５の配線は、第２の信号を出力することができる機能を有し、
前記第１のトランジスタのチャネル幅は、前記第３のトランジスタのチャネル幅よりも大きく、
前記画素は、前記第２の配線に電気的に接続される表示装置。
【請求項７】
走査線駆動回路と、画素と、を有し、
前記走査線駆動回路は、
第１のトランジスタと、
第２のトランジスタと、
第３のトランジスタと、
第４のトランジスタと、
第５のトランジスタと、
第６のトランジスタと、を有し、
前記第１のトランジスタのソース又はドレインの一方は第１の配線に電気的に接続されており、
前記第１のトランジスタのソース又はドレインの他方は前記第２のトランジスタのソース又はドレインの一方に電気的に接続されており、
前記第１のトランジスタのソース又はドレインの他方は第２の配線に電気的に接続されており、
前記第２のトランジスタのソース又はドレインの他方は第３の配線に電気的に接続されており、
前記第３のトランジスタのソース又はドレインの一方は第４の配線に電気的に接続されており、
前記第３のトランジスタのソース又はドレインの他方は前記第４のトランジスタのソース又はドレインの一方に電気的に接続されており、
前記第３のトランジスタのソース又はドレインの他方は第５の配線に電気的に接続されており、
前記第４のトランジスタのソース又はドレインの他方は前記第３の配線に電気的に接続されており、
前記第５のトランジスタのソース又はドレインの一方は前記第４の配線に電気的に接続されており、
前記第５のトランジスタのソース又はドレインの他方は前記第６のトランジスタのソース又はドレインの一方に電気的に接続されており、
前記第６のトランジスタのソース又はドレインの他方は第６の配線に電気的に接続されており、
前記第１のトランジスタのゲートは前記第３のトランジスタのゲートに電気的に接続されており、
前記第１のトランジスタのゲートは前記第５のトランジスタのゲートに電気的に接続されており、
前記第２のトランジスタのゲートは前記第４のトランジスタのゲートに電気的に接続されており、
前記第５のトランジスタのソース又はドレインの他方は前記第４のトランジスタのゲートに電気的に接続されており、
前記第３の配線は、クロック信号を入力することができる機能を有し、
前記第２の配線は、第１の信号を出力することができる機能を有し、
前記第５の配線は、第２の信号を出力することができる機能を有し、
前記画素は、前記第２の配線に電気的に接続される表示装置。
【請求項８】
走査線駆動回路と、画素と、を有し、
前記走査線駆動回路は、
第１のトランジスタと、
第２のトランジスタと、
第３のトランジスタと、
第４のトランジスタと、
第５のトランジスタと、
第６のトランジスタと、を有し、
前記第１のトランジスタのソース又はドレインの一方は第１の配線に電気的に接続されており、
前記第１のトランジスタのソース又はドレインの他方は前記第２のトランジスタのソース又はドレインの一方に電気的に接続されており、
前記第１のトランジスタのソース又はドレインの他方は第２の配線に電気的に接続されており、
前記第２のトランジスタのソース又はドレインの他方は第３の配線に電気的に接続されており、
前記第３のトランジスタのソース又はドレインの一方は第４の配線に電気的に接続されており、
前記第３のトランジスタのソース又はドレインの他方は前記第４のトランジスタのソース又はドレインの一方に電気的に接続されており、
前記第３のトランジスタのソース又はドレインの他方は第５の配線に電気的に接続されており、
前記第４のトランジスタのソース又はドレインの他方は前記第３の配線に電気的に接続されており、
前記第５のトランジスタのソース又はドレインの一方は前記第４の配線に電気的に接続されており、
前記第５のトランジスタのソース又はドレインの他方は前記第６のトランジスタのソース又はドレインの一方に電気的に接続されており、
前記第６のトランジスタのソース又はドレインの他方は第６の配線に電気的に接続されており、
前記第１のトランジスタのゲートは前記第３のトランジスタのゲートに電気的に接続されており、
前記第１のトランジスタのゲートは前記第５のトランジスタのゲートに電気的に接続されており、
前記第２のトランジスタのゲートは前記第４のトランジスタのゲートに電気的に接続されており、
前記第５のトランジスタのソース又はドレインの他方は前記第４のトランジスタのゲートに電気的に接続されており、
前記第３の配線は、クロック信号を入力することができる機能を有し、
前記第２の配線は、第１の信号を出力することができる機能を有し、
前記第５の配線は、第２の信号を出力することができる機能を有し、
前記第１のトランジスタのチャネル幅は、前記第３のトランジスタのチャネル幅よりも大きく、
前記画素は、前記第２の配線に電気的に接続される表示装置。